(57)【要約】【課題】熱媒体が循環する循環回路と、主熱交換器と、潜熱を回収する副熱交換器と、副熱交換器のドレンを中和する中和器と、循環回路に介設されたシスターンと、開閉弁が介設されシスターンに熱媒体を補給する熱媒体補給管と、シスターン内の熱媒体が上限量を超えた場合に熱媒体を排出させるオーバーフロー管と、シスターン内の熱媒体が所定量以下のときに開閉弁を開とするコントローラと備える潜熱回収式熱源機において、洗浄用に新たな配管と開閉弁を設けることなく中和器を洗浄することができるようにする。【解決手段】シスターン８のオーバーフロー管８３が中和器５２ｂに接続され、コントローラ９は、熱媒体補給管８０の開閉弁８０ａを開としシスターン８内の熱媒体を上限量を超える量として、熱媒体をオーバーフロー管８３を介して中和器５２ｂに供給し、熱媒体により中和器５２ｂを洗浄させる洗浄処理を行う。【選択図】図１
2010019494.tif 000002
【特許請求の範囲】
【請求項１】
放熱器に接続され循環ポンプにより熱媒体が循環される暖房用循環回路と、暖房用循環回路に介設されバーナの燃焼により熱媒体を加熱する主熱交換器と、暖房用循環回路に介設されバーナの燃焼排ガスの潜熱を回収する副熱交換器と、副熱交換器の下方に配置され副熱交換器で発生するドレンを回収するドレンパンと、ドレンパンで回収されたドレンを中和する中和器と、暖房用循環回路に介設されたシスターンと、シスターンに熱媒体を補給する熱媒体補給管と、熱媒体補給管に介設された開閉弁と、シスターン内の熱媒体が上限量を超えた場合に熱媒体を排出させるオーバーフロー管と、シスターン内の熱媒体が所定量以下のときに熱媒体補給管の開閉弁を開とするコントローラと備える潜熱回収式熱源機において、
シスターンのオーバーフロー管が中和器に接続され、
コントローラは、熱媒体補給管の開閉弁を開としシスターン内の熱媒体を前記上限量を超える量として、熱媒体をオーバーフロー管を介して中和器に供給し、熱媒体により中和器を洗浄させる洗浄処理を行うことを特徴とする潜熱回収式熱源機。
【発明の詳細な説明】
【技術分野】
【０００１】
本発明は、バーナの燃焼排ガス中の潜熱を回収して熱媒体を加熱する潜熱回収式熱源機に関する。
【背景技術】
【０００２】
従来、放熱器に接続され循環ポンプにより熱媒体が循環される暖房用循環回路と、暖房用循環回路に介設されバーナの燃焼により熱媒体を加熱する主熱交換器と、暖房用循環回路に介設されバーナの燃焼排ガスの潜熱を回収する副熱交換器と、副熱交換器の下方に配置され副熱交換器で発生するドレンを回収するドレンパンと、ドレンパンで回収されたドレンを中和する中和器と、暖房用循環回路に介設されたシスターンと、シスターンに熱媒体を補給する熱媒体補給管と、熱媒体補給管に介設された開閉弁と、シスターンの上方部に接続されシスターン内の熱媒体が上限量を超えた場合に熱媒体を排出させるオーバーフロー管と、シスターン内の熱媒体が所定量未満のときに熱媒体補給管の開閉弁を開とするコントローラと備える潜熱回収式熱源機が知られている（例えば、特許文献１参照）。
【０００３】
ところで、副熱交換器で発生したドレンを中和する中和器は、内部に充填された中和剤の表面に中和反応時に生じる生成物が付着し、次第に中和性能が低下してしまうという問題がある。
【０００４】
この問題を解決すべく、中和器に水道管からの水道水を供給する洗浄用配管を接続し、洗浄用配管に介設された開閉弁を熱源機のコントローラの指令により開として、中和器を洗浄するものも知られている（例えば、特許文献２参照）。この中和器の洗浄構造を上記潜熱回収式熱源機に適用することにより、中和器の中和性能の低下を抑制させることができる。
【特許文献１】特開２００６−３３６９３９号公報
【特許文献２】特開２００１−２７２１１０号公報
【発明の開示】
【発明が解決しようとする課題】
【０００５】
従来の中和器洗浄構造を適用した潜熱回収式熱源機では、洗浄用配管と開閉弁を新たに設ける必要があり、製造コストが嵩むと共に熱源機が比較的大型となってしまうという問題がある。
【０００６】
本発明は、以上の点に鑑み、洗浄用に新たな配管と開閉弁を設けることなく中和器を洗浄することができる潜熱回収式熱源機を提供することを目的とする。
【課題を解決するための手段】
【０００７】
上記目的を達成するため、本発明は、放熱器に接続され循環ポンプにより熱媒体が循環される暖房用循環回路と、暖房用循環回路に介設されバーナの燃焼により熱媒体を加熱する主熱交換器と、暖房用循環回路に介設されバーナの燃焼排ガスの潜熱を回収する副熱交換器と、副熱交換器の下方に配置され副熱交換器で発生するドレンを回収するドレンパンと、ドレンパンで回収されたドレンを中和する中和器と、暖房用循環回路に介設されたシスターンと、シスターンに熱媒体を補給する熱媒体補給管と、熱媒体補給管に介設された開閉弁と、シスターン内の熱媒体が上限量を超えた場合に熱媒体を排出させるオーバーフロー管と、シスターン内の熱媒体が所定量以下のときに熱媒体補給管の開閉弁を開とするコントローラと備える潜熱回収式熱源機を以下の如く改良している。
【０００８】
即ち、本発明では、シスターンのオーバーフロー管が中和器に接続され、コントローラは、熱媒体補給管の開閉弁を開としシスターン内の熱媒体を前記上限量を超える量として、熱媒体をオーバーフロー管を介して中和器に供給し、熱媒体により中和器を洗浄させる洗浄処理を行うことを特徴とする。
【０００９】
本発明によれば、シスターンのオーバーフロー管が中和器に接続されており、コントローラの洗浄処理によって、熱媒体補給管の開閉弁を開としてシスターン内の熱媒体を前記上限量を超える量として、熱媒体をオーバーフロー管を介して中和器に供給し、熱媒体により中和器を洗浄する。これにより、中和器内に充填されている中和剤の表面に付着する中和反応生成物を洗い流し、中和器の中和性能の低下を抑制させることができる。
【００１０】
又、シスターンのオーバーフロー管を中和器に接続し、コントローラに洗浄処理を追加するだけで中和器を洗浄することができ、従来のように洗浄用の新たな配管と開閉弁とを設ける必要がない。従って、潜熱回収式熱源機を大型化させることなく、且つ製造コストを低廉に抑えることができる。
【発明を実施するための最良の形態】
【００１１】
図１を参照して、１は潜熱回収式熱源機であり、熱源機１で加熱された温水を床暖房パネル等の暖房放熱器２に循環させて暖房を行う温水暖房システムを構成している。熱源機１には燃焼筺３が設けられており、燃焼筺３内に、バーナ４と、バーナ４で加熱される熱交換器５とを収納している。燃焼筺３内には、燃焼ファン６により燃焼用空気が供給される。
【００１２】
バーナ４に燃料ガスを供給するガス通路４０には、ガス元弁４１とガス比例弁４２とが介設されている。又、バーナ４は複数の単位バーナ４ａで構成されている。そして、これら単位バーナ４ａを３つのバーナ群４ｂに組み分けし、ガス通路４０をガス比例弁４２の下流側で単位バーナ４ａの各バーナ群４ｂ毎に分岐し、各分岐路に各バーナ群４ｂに燃料ガスを供給する能力切換弁４３を介設している。かくして、これら能力切換弁４３の制御とガス比例弁４２の制御との組み合わせによりバーナ４の燃焼量を広範囲に可変できるようになる。
【００１３】
熱交換器５は、バーナ４の直上部に配置した主熱交換器５１と、主熱交換器５１を通過した燃焼排ガスが流れる排気通路に配置した副熱交換器５２とで構成される。副熱交換器５２では、燃焼排ガス中の水蒸気が凝縮して、潜熱が回収される。潜熱が回収される際に副熱交換器５２からドレンが滴下するが、このドレンは副熱交換器５２の直下に配置したドレンパン５２ａで回収されて中和器５２ｂへ導かれ、中和器５２ｂ内で中和されてドレンパイプ５２ｃから排水される。
【００１４】
又、熱源機１には、循環ポンプ７ａにより熱交換器５と暖房放熱器２との間で温水を循環させる暖房用循環回路７が設けられている。又、熱源機１は、暖房用循環回路７に介設されたシスターン８を備える。暖房用循環回路７は、主熱交換器５１で加熱された温水を暖房放熱器２へ導く暖房往き配管７１と、暖房放熱器２で放熱された温水を副熱交換器５２に導く暖房戻り配管７２と、副熱交換器５２で燃焼排ガス中の潜熱を回収した温水をシスターンへ導く第１接続配管７３と、シスターン８内の温水を主熱交換器５１へと導く第２接続配管７４とで構成される。循環ポンプ７ａは、第２接続配管７４に介設されている。
【００１５】
暖房行き配管７１には、主熱交換器５１で加熱された温水の一部をシスターン８へ導くバイパス路７１ａが接続されている。これにより、暖房放熱器２が運転を停止しているときに故障等によってバーナ４が燃焼している場合であっても、循環ポンプ７ａを作動させることにより、第２接続配管７４、主熱交換器５１、暖房往き配管７１、バイパス路７１ａ、シスターン８で温水を循環させることができ、主熱交換器５１が異常に加熱されることを防止できる。
【００１６】
シスターン８には、開閉弁８０ａを介設した熱媒体補給管８０を介して熱媒体としての水が補給される。そして、シスターン８に低水位と高水位を検出する２つの水位電極８１，８２を設け、シスターン８内の水位が所定量以下になったとき、即ち低水位電極８１以下になったとき、開閉弁８０ａが開とされ水位が高水位電極８２に到達するまで水を補給するようにしている。
【００１７】
又、シスターン８には、水の熱膨張により水位が所定の上限量を超えた場合に、シスターン８内の水を排出させるオーバーフロー管８３が接続されている。オーバーフロー管８３の下流端は、中和器５２ｂに接続され、オーバーフロー管８３で排出される水は、中和器５２ｂを介してドレンパイプ５２ｃより排水される。
【００１８】
又、シスターン８の上端部には、流入口８４が設けられており、この流入口８４に第１接続配管７３の下流端が接続されている。又、シスターン８内には、第１接続配管７３から流入口８４を介して流れ込む熱媒体を低水位電極８１の下端よりも下方に位置する案内管８５が設けられている。これにより、案内管８５を介して流入口８４から流れ込む熱媒体は低水位電極８１の下端よりも下方まで案内されるため、流入口８４から流れ込む熱媒体が直接両水位電極８１，８２と接触しない。又、シスターン８内の熱媒体の量は低水位電極８１以下とならないように熱媒体補給管８０から熱媒体が補給されるため、案内管８５の下端縁は常に熱媒体の液面よりも下方に位置する。従って、熱媒体の飛沫も防止でき、両水位電極８１，８２のシスターン８内の熱媒体の量の誤検知を防止できる。
【００１９】
又、熱源機１にはコントローラ９が設けられている。コントローラ９は、暖房放熱器２の運転スイッチがオンされたとき暖房運転処理を行い、又、シスターン８内の水位が、所定量以下、即ち低水位電極８１以下になったとき開閉弁８０ａを開とし、水位が高水位電極８２に到達したら開閉弁８０ａを閉とする。
【００２０】
又、コントローラ９は、例えば、予め設定された所定回数の暖房運転処理が行われた後などの所定条件下において洗浄処理を行う。この洗浄処理について詳説すると、まず、コントローラ９は、熱媒体補給管８０の開閉弁８０ａを開としてシスターン８に水を供給する。そして、シスターン８内の水位が高水位電極８２に到達しても水の供給を継続してシスターン８内の水量を前記上限量を超える量とし水を強制的にオーバーフロー管８３から排出させる。オーバーフロー管８３から強制的に排出される水は中和器５２ｂ内に流れ込み中和器５２ｂ内の中和剤を洗浄する。そして、オーバーフロー管８３から中和器５２ｂ内に流れ込んだ水は、中和反応生成物と共にドレンパイプ５２ｃから排出される。
【００２１】
これにより、中和器５２ｂ内に充填されている中和剤の表面に付着する中和反応生成物を洗い流し、中和器５２ｂの中和性能の低下を抑制させることができる。そして、シスターン８のオーバーフロー管８３を中和器５２ｂに接続し、コントローラ９に洗浄処理を追加するだけで、水により中和器５２ｂを洗浄することができ、従来のように洗浄用の新たな配管と開閉弁とを設ける必要がない。そのため、熱源機１を大型化させることなく、且つ製造コストを低廉に抑えることができる。
【００２２】
尚、実施形態においては、熱媒体として水を用いているが、これに限られず、中和器５２ｂ内の中和剤を適切に洗浄できるものであれば、他の熱媒体を用いてもよい。
【００２３】
又、暖房放熱器２として、例えば、熱媒体循環回路７に浴室暖房機等の高温側放熱器と、床暖房パネル等の低温側放熱器とを備えるものでも同様に本発明を適用することができる。
【００２４】
この場合、例えば、暖房放熱器２に代えて高温側放熱器を設け、低温側放熱器には、第２接続配管を流れる熱媒体の一部を低温側放熱器へ導く低温側往き配管を介して熱媒体を供給し、低温側放熱器で放熱された熱媒体は、低温側戻り配管を介して暖房戻り配管７２へ導くように構成すればよい。
【００２５】
このとき、バイパス路７１ａは主熱交換器５１で加熱された熱媒体の一部をシスターン８へ導くため、副熱交換器５２で潜熱を回収した熱媒体の温度は、シスターン８内でバイパス路７１ａからの熱媒体の合流により更に上昇することとなる。従って、バイパス路７１ａは、低温側放熱器に供給される熱媒体の温度を上昇させる役割も担うこととなる。
【図面の簡単な説明】
【００２６】
【図１】本発明の潜熱回収式熱源機の実施形態を示す説明図。
【符号の説明】
【００２７】
１…潜熱回収式熱源機、  ２…暖房放熱器、  ４…バーナ、  ５１…主熱交換器、  ５２…副熱交換器、  ５２ａ…ドレンパン、  ５２ｂ…中和器、  ７…暖房用循環回路、  ７ａ…循環ポンプ、  ８…シスターン、  ８０…熱媒体補給管、  ８０ａ…開閉弁、  ８３…オーバーフロー管、  ９…コントローラ。
【図１】
2010019494.tif 000003